(57)【要約】【課題】  メダルセレクタに対する不正行為の被害を軽減する。不正行為によるメダル返却を防止するために、応急的にメダルの返却機能を無効にする。【解決手段】  メダルの投入と遊技者の操作とを受けて遊技処理を開始し、入賞に応じてメダルの払い出し制御を行うとともに、遊技者の操作を受けて投入されたメダルの返却制御を行う制御部を備える遊技機において、メダルの返却を行うためのキャンセルボタンを無効にするための切り替えスイッチを筐体内部の電源パネルに設ける。前記キャンセルボタンの配線の途中に前記切り替えスイッチを設ける。【選択図】        図３
2005304641.tif 000002
【特許請求の範囲】
【請求項１】
遊技媒体の投入と遊技者の操作とを受けて遊技処理を開始し、入賞に応じて遊技媒体の払い出し制御を行うとともに、遊技者の操作を受けて投入された遊技媒体の返却制御を行う制御部を備える遊技機において、
前記遊技媒体の返却を求めるためのキャンセルスイッチを含み、遊技者の操作を受けるために筐体前面に設けられる操作スイッチと、
電源スイッチを含む管理用のスイッチが設けられた電源パネルを含み、筐体内部に設けられる電源部と、
遊技者の操作を受ける前記操作スイッチの配線及び前記電源パネルのスイッチの配線を受けるとともに、受けた前記操作スイッチ及び前記電源パネルのスイッチの配線を前記制御部へ送り出すための中継基板と、
前記キャンセルスイッチの配線に接続され、前記キャンセルスイッチを無効にするための切り替えスイッチとを備え、
前記切り替えスイッチを前記電源パネルに設けるとともに、前記中継基板において前記切り替えスイッチの配線を前記キャンセルスイッチの配線に接続することを特徴とする遊技機。
【請求項２】
遊技媒体の投入と遊技者の操作とを受けて遊技処理を開始し、入賞に応じて遊技媒体の払い出し制御を行うとともに、遊技者の操作を受けて投入された遊技媒体の返却制御を行う制御部を備える遊技機において、
前記遊技媒体の返却を求めるためのキャンセルスイッチを含み、遊技者の操作を受けるために筐体前面に設けられる操作スイッチと、
遊技者の操作を受ける前記操作スイッチの配線を受けるとともに、受けた前記操作スイッチの配線を前記制御部へ送り出すための中継基板と、
前記キャンセルスイッチの配線に接続され、前記キャンセルスイッチを無効にするための切り替えスイッチとを備え、
前記切り替えスイッチを前記中継基板に設けたことを特徴とする遊技機。
【発明の詳細な説明】
【技術分野】
【０００１】
この発明は、スロットマシン等の遊技機に関する。
【背景技術】
【０００２】
スロットマシン等の遊技機は、遊技者が所定の枚数のメダル（遊技媒体）を遊技機に投入してゲームを楽しむことができるものである。遊技に必要なメダルは、遊技ホール内に設けられたメダル貸機等で借りることができ、所望の遊技機のメダル投入口にメダルを投入することによりゲームを開始することができる。
【０００３】
投入されたメダルは遊技機内部のメダルセレクタで選別される（不良メダルは返却される）とともに、投入されたメダルの枚数が計数される。この計数値がメダルの投入枚数として扱われ、この範囲内で遊技者は遊技を楽しむことができる。メダルを投入した後であっても、遊技によりクレジットを消費する前であれば投入したメダルの返却を求めることができる。返却操作のために遊技機の筐体前面にキャンセルボタンが設けられている。
【発明の開示】
【発明が解決しようとする課題】
【０００４】
遊技機に対する不正行為（いわゆるゴト行為）が増えてきていて、これによる被害も増大しつつある。しかも不正行為の手法も時とともに巧妙になってきている。そのひとつとしてメダル投入口から不正行為用の器具を挿入し、メダルセレクタのメダル計数機能を不正に操作し誤動作させ、メダルを投入していないにもかかわらず不正に多数のクレジットを得るという手口がある。不正に得たクレジットで遊技を行うことができるが、多くの場合、キャンセルボタンによりメダルの返却を受けているようである。許認可の対象となっている遊技機は、多くの場合その対策が遅延し、監視を強化する以外にすべがないことがある。特に上記のようなメダルセレクタに対する不正行為の発見は遅れるケースが多く、被害の拡大が懸念されている。
【０００５】
本発明は上記課題を解決するためになされたもので、メダルセレクタに対する不正行為による被害を軽減することのできる遊技機を提供することを目的とする。
【課題を解決するための手段】
【０００６】
この発明は、遊技媒体の投入と遊技者の操作とを受けて遊技処理を開始し、入賞に応じて遊技媒体の払い出し制御を行うとともに、遊技者の操作を受けて投入された遊技媒体の返却制御を行う制御部を備える遊技機において、
前記遊技媒体の返却を求めるためのキャンセルスイッチを含み、遊技者の操作を受けるために筐体前面に設けられる操作スイッチと、
電源スイッチを含む管理用のスイッチが設けられた電源パネルを含み、筐体内部に設けられる電源部と、
遊技者の操作を受ける前記操作スイッチの配線及び前記電源パネルのスイッチの配線を受けるとともに、受けた前記操作スイッチ及び前記電源パネルのスイッチの配線を前記制御部へ送り出すための中継基板と、
前記キャンセルスイッチの配線に接続され、前記キャンセルスイッチを無効にするための切り替えスイッチとを備え、
前記切り替えスイッチを前記電源パネルに設けるとともに、前記中継基板において前記切り替えスイッチの配線を前記キャンセルスイッチの配線に接続したものである。
【０００７】
この発明は、遊技媒体の投入と遊技者の操作とを受けて遊技処理を開始し、入賞に応じて遊技媒体の払い出し制御を行うとともに、遊技者の操作を受けて投入された遊技媒体の返却制御を行う制御部を備える遊技機において、
前記遊技媒体の返却を求めるためのキャンセルスイッチを含み、遊技者の操作を受けるために筐体前面に設けられる操作スイッチと、
遊技者の操作を受ける前記操作スイッチの配線を受けるとともに、受けた前記操作スイッチの配線を前記制御部へ送り出すための中継基板と、
前記キャンセルスイッチの配線に接続され、前記キャンセルスイッチを無効にするための切り替えスイッチとを備え、
前記切り替えスイッチを前記中継基板に設けたものである。
【発明の効果】
【０００８】
本発明によれば、ホール側の設定によりメダルの返却機能を無効にすることができるので、メダルセレクタに対する不正行為による被害を軽減することができる。本発明によれば、新たな手法を用いてセレクタに対する不正行為を行う場合であっても、緊急に対処することが可能である。しかも、中継基板を利用して切り替えスイッチをキャンセルスイッチに接続しているのでワイヤハーネスを追加することなく実現可能であり、コストの点で有利である。
【発明を実施するための最良の形態】
【０００９】
発明の実施の形態１．
この発明の実施の形態に係るスロットマシン（遊技機）について図面を参照して説明する。
【００１０】
図１は前扉を閉めた状態を示すスロットマシンの正面図、図２は前扉を１８０度開いた状態を示すスロットマシンの正面図を示す。
【００１１】
図１及び図２中、１００はスロットマシンを示すもので、このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面（筐体前面）には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルをスロットマシン１００外に強制的に排出するためのリジェクトボタン１３３が設けられている。
【００１２】
また、前記ゲーム表示部１３１の左下方には、ゲームを開始するためのスタートボタン１３４を設けてあり、３つのリールのそれぞれに対応して３つのストップボタン１４０を設けてある。前扉の下端部中央には、メダルの払出し口１３５を設けてある。
【００１３】
遊技用のメダルをメダル投入口１３２に投入するか若しくはベットスイッチ１３７の操作を条件に、スタートスイッチ１３４を操作すると３つのリールが回転を開始し、ゲームがスタートする。キャンセルスイッチ（以下の説明で「キャンセルボタン」と記すことがある）１３８は投入済みのメダルの返却を求めるためのものである。
【００１４】
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ホッパ装置１２１の上側のリールユニット２０３との間には電源部２０５が設けられている。
【００１５】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００１６】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００１７】
前扉１３０の裏面には、スタートスイッチ１３４、ベットスイッチ１３７、キャンセルスイッチ１３８、ストップスイッチ１４０等の筐体前面に設けられた操作スイッチの配線を一度受け、これらをハーネスにまとめてメイン基板へ送り出すための中継基板１５０が設けられている。中継基板１５０は電源部２０５のパネルに設けられたスイッチ等の配線も受けている。
【００１８】
スロットマシンで遊技を楽しもうとする遊技者は、まずメダル貸機（図示しない）等から遊技媒体であるメダルを借り、メダル投入装置のメダル投入口１３２に直接メダルを入れる。スタートスイッチ１３４を操作すると、遊技メダルの投入又はベットスイッチ１３７の操作を条件にリールユニットの駆動を開始させる。リールユニット２０３は、ストップスイッチ１４０によりその駆動が停止される。リールユニット２０３は、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００１９】
図３は電源部２０５のパネルの詳細を示す。図３において、電源スイッチ２０５１は電源のオン／オフスイッチであり、電源部パイロットランプ２０５２は電源がオンのとき点灯するランプ（ＬＥＤ）であり、打ち止め有無スイッチ２０５３はメダルの払い出し枚数を制限する打ち止めを「有り」または「無し」に設定するスイッチである。打ち止め有無スイッチ２０５３は通常「無し」に設定されていて、頻繁に使用されることはない。
【００２０】
設定キースイッチ２０５４は設定変更を行うための設定変更モードに移行するためのスイッチであり、リセットスイッチ２０５５は、装置をリセットするためのスイッチである。リセットスイッチ２０５５は設定変更モードにおいて設定値を変更するためのスイッチを兼用している。ＡＣ１００Ｖパイロットランプ２０５６は、筐体の電源であるＡＣ１００Ｖが供給されていることを示すランプであり、ＡＣ電源出力及び電源ケーブル２０５７はＡＣ電源を供給するためのものである。キャンセルボタン有効／無効切り替えスイッチ２０５８は、キャンセルボタン１３８の有効／無効を切り替えるためのスイッチである。スイッチ２０５８が有効にセットされているとキャンセルボタン１３８の操作により投入したメダルの返却を受けることができるが、無効にセットされているとキャンセルボタン１３８を操作してもメダルは返却されない（ホールの係員にメダルの返却を要求することになる）。
電源部２０５のパネルに設けられたこれらスイッチ２０５１、２０５３、２０５４、２０５５、２０５８はホール係員が操作する管理用のスイッチであって、遊技者が操作することはない。
【００２１】
図４（ａ）は発明の実施の形態１に係るスロットマシンの機能ブロック図を示す。同図において、２００はＣＰＵを内蔵するメイン基板（制御部）である。遊技機に取り付けられるＣＰＵ内蔵の他の基板としてサブ基板があるが、図４においてその表示は省略している。メイン基板２００はメダルの投入、払い出し、リールの制御、当選処理などを行う。図示しないサブ基板は演出表示などの処理を行う。２０２はスタートスイッチ１３４やストップスイッチ、ベットスイッチなどのスイッチからなる操作部２０２である。操作部２０２は前扉１３０の一部であって、スタートスイッチ１３４、ストップスイッチ１４０、ベットスイッチ１３７、キャンセルスイッチ１３８などが設けられている。２０３は三個の回転リールからなるリールユニットである。２０５は各部に電源を供給する電源部である。前述のように電源部２０５のパネルには打ち止めスイッチ２０５３、設定キースイッチ２０５４、設定変更／リセットスイッチ２０５５、キャンセルボタン有効／無効スイッチ２０５８が設けられている。
【００２２】
図４（ｂ）はキャンセルボタン１３８とキャンセルボタン有効／無効スイッチ２０５８の電気的な接続の説明図である。キャンセルボタン１３８に対してキャンセルボタン有効／無効スイッチ２０５８は直列に接続され、キャンセルボタン有効／無効スイッチ２０５８がオン（有効）のときのみキャンセルボタン１３８の信号がメイン基板に入力されるようになっている。したがって、キャンセルボタン有効／無効スイッチ２０５８がオン（有効）になっているときのみキャンセルボタン１３８の操作でメダルの払い戻しを受けることができる。
【００２３】
キャンセルボタン１３８とキャンセルボタン有効／無効スイッチ２０５８の電気的な接続は中継基板１５０において、例えば中継基板１５０の導体パターンにより実現される。このようにすれば、中継基板１５０を変更するだけで図４（ｂ）の回路を実現でき、操作部２０２のワイヤハーネスＨ１を変更する必要はない（スイッチ２０５８を他の場所に設けたとすると、スイッチ２０５８を中継基板１５０又はメイン基板２００に接続するためのワイヤハーネスを追加しなければならない）。しかも、中継基板１５０とメイン基板２００の間のワイヤハーネスＨ３を変更する必要もない。ワイヤハーネスＨ２の電線数・コネクタのピン数には通常余裕があり、スイッチ２０５８の配線を追加することは可能である。したがってワイヤハーネスを追加又は変更することなく、図４（ｂ）の回路を実現することができる。
【００２４】
従来、前述のメダルセレクタ１に対する不正行為が発覚した場合、応急的にキャンセルボタン１３８を無効にすることが求められていた。しかし、従来の遊技機はこのような機能を持たず、キャンセルボタン１３８を無効にすることができなかった。本発明の実施の形態１は、キャンセルボタン１３８に対しキャンセルボタン有効／無効の切り替えスイッチ２０５８を接続したので、前述のメダルセレクタ１に対する不正行為が発覚した場合、応急的にキャンセルボタン１３８を無効にすることができるようになったのである。
【００２５】
従来、キャンセルボタン１３８からの信号がそのままメイン基板２００に入力されていたが、この間に信号線の接続／非接続を切り替えるスイッチ２０５８を設けた。このようにすればメイン基板２００のソフトウエアを修正する必要もない。メイン基板２００のプログラムＲＯＭの容量には制限があるのでプログラムの大きさが増加するような修正は好ましくない。本発明の実施の形態１によれば、メイン基板２００のプログラムにコードを追加することなく目的を達成できる。有効／無効の切り替えスイッチ２０５８はホールの営業形態や不正の状況に応じて使い分けできると考えられる。
【００２６】
発明の実施の形態２．
電源部２０５にキャンセルボタン有効／無効の切り替えスイッチ２０５８を設ける代わりに、中継基板１５０にスイッチ２０５８を設けるようにしてもよい。この例を図５に示す。スイッチ２０５８を遊技機筐体内部に設けてホールの管理者のみが操作できなければならない。しかし、スイッチ２０５８を設ける場所を工夫しないとワイヤハーネスが増えてしまう。その点、中継基板１５０であれば、ワイヤハーネスを増やすことがなく、キャンセルスイッチ１３８とメイン基板２００の間の配線の途中にキャンセルボタン有効／無効の切り替えスイッチ２０５８を設けることができる。
【００２７】
上記発明の実施の形態１及び２において、図３のキャンセルボタン有効／無効スイッチ２０５８を図示しないカバーで覆うなどして外部から容易に操作されないようにすることも好適である。前扉１３０の隙間から異物（針金など）を挿入して不正に有効／無効スイッチ２０５８を操作することも考えられ、このような不正行為を効果的に防止するためである。
【００２８】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００２９】
【図１】前扉を閉めた状態を示すスロットマシンの正面図である。
【図２】前扉を１８０度開いた状態を示すスロットマシンの正面図である。
【図３】発明の実施の形態１に係る遊技機の電源部のパネルの詳細図である。
【図４】発明の実施の形態１に係る遊技機のブロック図である。
【図５】発明の実施の形態２に係る遊技機のブロック図である。
【符号の説明】
【００３０】
１  メダル（コイン）セレクタ
１００  スロットマシン
１２０  スロットマシン本体
１２１  ホッパ装置
１２２  ホッパタンク
１３０  前扉
１３１  ゲーム表示部
１３２  メダル投入口
１３３  リジェクトボタン
１３４  スタートスイッチ（スタートボタン）
１３５  メダルの払出し口
１３６  導出路
１３７  ベットスイッチ
１３８  キャンセルスイッチ（キャンセルボタン）
１４０  ストップボタン
１５０  中継基板
２００  メイン基板（制御部）
２０２  操作部
２０３  リールユニット
２０５  電源部
２０５１  電源スイッチ
２０５２  電源部パイロットランプ
２０５３  打ち止め有無スイッチ
２０５４  設定キースイッチ
２０５５  リセットスイッチ
２０５６  ＡＣ１００Ｖパイロットランプ
２０５７  電源ケーブル
２０５８  キャンセルボタン有効／無効切り替えスイッチ
Ｈ１〜Ｈ３  ワイヤハーネス
【図１】
2005304641.tif 000003
【図２】
2005304641.tif 000004
【図３】
2005304641.tif 000005
【図４】
2005304641.tif 000006
【図５】
2005304641.tif 000007